(57)【要約】  【課題】  凧を用いて釣りの仕掛けを遠く運ぶ方法において、魚を釣り上げる度に凧を下ろす作業を行わないようにすることを課題とする。  【解決手段】  本発明は、凧を利用して釣りの仕掛けを遠方に運搬する釣り用仕掛け搬送器具であり、揚げられた凧の凧糸に移動可能に係合する係合手段と、前記係合手段に固定され、風を受けて前記凧糸の先端側へ向う搬送力を付加する帆手段と、前記仕掛けを保持し、かつ、前記凧糸の途中に固定される突起である落下位置指定部材からの作用を受けて前記仕掛けの保持を解除する、前記係合手段に固定される仕掛け保持手段とを有するものである。【選択図】  図１
2006254812.tif 000002
【特許請求の範囲】
【請求項１】
凧を利用して釣りの仕掛けを遠方に運搬する釣り用仕掛け搬送器具であって、
揚げられた凧の凧糸に移動可能に係合する係合手段と、
前記係合手段に固定され、風を受けて前記凧糸の先端側へ向う搬送力を付加する帆手段と、
前記仕掛けを保持し、かつ、前記凧糸の途中に固定される突起である落下位置指定部材からの作用を受けて前記仕掛けの保持を解除する、前記係合手段に固定される仕掛け保持手段と
を有する釣り用仕掛け搬送器具。
【請求項２】
前記仕掛けの取り付けられた釣り糸を移動可能に保持する釣り糸保持手段をさらに設けた請求項１に記載の釣り用仕掛け搬送器具。
【請求項３】
前記仕掛けに先端が固定される糸である連結糸を巻きつけた連結リールがさらに設けられた請求項１に記載の釣り用仕掛け搬送器具。
【請求項４】
前記係合手段を前記凧糸上の基端側へ移動させる駆動手段がさらに設けられた請求項１に記載の釣り用仕掛け搬送器具。
【請求項５】
前記帆手段は、仕掛け保持手段が仕掛けの保持を解除した後に、風を受けないように変形する請求項１から４のいずれか１項に記載の釣り用仕掛け搬送器具。
【請求項６】
前記帆手段は、パラシュートもしくは骨のない凧であり、さらに、前記落下位置指定部材の作用を受けて、帆手段を形成する複数の糸の少なくとも一部を解放するパラシュート解放手段を有することで、風を受けるないように変形する請求項５に記載の釣り用仕掛け搬送器具。
【請求項７】
請求項１から６のいずれか１項に記載の釣り用仕掛け搬送器具に使用される釣り用凧であって、凧糸上に前記落下位置指定手段を有し、この落下位置指定手段の位置もしくはそれよりも先端側の凧糸もしくは凧本体に、一定長さの糸である高さ制限ラインの一端を固定し、他端に水面に浮き、かつ、前記凧本体の揚力では持ち上がらない錘を設けた釣り用凧。
【発明の詳細な説明】
【技術分野】
【０００１】
本発明は凧を用いて釣りの仕掛けを遠くへ運ぶための器具に関し、特に、凧糸に沿って釣りの仕掛けを運ぶ器具に関する。
【背景技術】
【０００２】
海岸線から釣りをする釣り人にとって、仕掛けを遠くに飛ばすことは釣果を得るためにも重要事項であり、例えば、下記特許文献１にはリモートコントロールにより操作できる推進装置によって仕掛けを運ぶ方法が開示されている。
また、アメリカなどではカイトフィッシングという名称でに示すように凧糸の途中から仕掛けを取り付けた釣り糸を分岐させて、凧を遠くへ揚げることで仕掛けを遠くに運ぶことが示されている。
【特許文献１】実開平７−３９４４７号公報
【発明の開示】
【発明が解決しようとする課題】
【０００３】
ところで、釣りを趣味で行う者にとって、自然に対して直接働きかけることが釣りの醍醐味の一つであるが、上記特許文献１に記載の方法では機械操作で釣りをするために、釣りの醍醐味が失われ、また、精密機械を用いるので故障のリスクが大きい。一方、カイトフィッシングは自然の力を利用するものであり、自然に働きかけるという釣りの醍醐味は得られるが、魚を釣り上げる度に凧も下ろす必要があり、作業が煩雑になる。
本発明は上記の問題に鑑み、凧を用いて釣りの仕掛けを遠く運ぶ方法において、魚を釣り上げる度に凧を下ろす作業を行わないようにすることを課題とする。
【課題を解決するための手段】
【０００４】
上記課題を解決するために、本発明は次のような構成を有する。
請求項１に記載の発明は、凧を利用して釣りの仕掛けを遠方に運搬する釣り用仕掛け搬送器具であり、揚げられた凧の凧糸に移動可能に係合する係合手段と、前記係合手段に固定され、風を受けて前記凧糸の先端側へ向う搬送力を付加する帆手段と、前記仕掛けを保持し、かつ、前記凧糸の途中に固定される突起である落下位置指定部材からの作用を受けて前記仕掛けの保持を解除する、前記係合手段に固定される仕掛け保持手段とを有するものである。なお、固定には間接固定が含まれる。
請求項２に記載の発明は、請求項１に記載の釣り用仕掛け搬送器具において、前記仕掛けの取り付けられた釣り糸を移動可能に保持する釣り糸保持手段を有するものである。
請求項３に記載の発明は、請求項１に記載の釣り用仕掛け搬送器具において、前記仕掛けに先端が固定される糸である連結糸を巻きつけた連結リールが設けられたものである。
請求項４に記載の発明は、請求項１に記載の釣り用仕掛け搬送器具において、前記係合手段を前記凧糸上を基端側へ移動させる駆動手段が設けられたものである。駆動手段としては、風力で駆動するもの、ゼンマイで駆動するもの、電動モーターで駆動するものなどが例示される。
【０００５】
請求項５に記載の発明は、前記釣り用仕掛け搬送器具において、前記帆手段は、仕掛け保持手段が仕掛けの保持を解除した後に、風を受けないように変形するものである。
請求項６に記載の発明は、請求項５に記載の釣り用仕掛け搬送器具において、前記帆手段は、パラシュートまたは骨のない凧であり、さらに、前記落下位置指定手段に接触することで、帆手段を形成する複数の糸の少なくとも一部を解放するパラシュート解放手段を有することで、風を受けるないように変形するものである。
請求項７に記載の発明は、前記釣り用仕掛け搬送器具に使用される釣り用凧であり、凧糸上に前記落下位置指定部材を有し、この落下位置指定部材の位置もしくはそれよりも先端側の凧糸もしくは凧本体に、一定長さの糸である高さ制限ラインの一端を固定し、他端に水面に浮き、かつ、前記凧本体の揚力では持ち上がらない錘を設けたものである。
【発明の効果】
【０００６】
請求項１に記載の発明は、帆手段により凧糸上に沿って移動する係合手段に固定される仕掛けを保持する仕掛け保持手段が、凧糸の途中に設けられる落下位置指定部材の作用を受けると仕掛けの保持を解除し、仕掛けが落下することになる。つまり、仕掛けを遠方に運んだ後には釣り糸と凧糸が分離された状態となるので、この状態で魚を釣り上げても凧本体を下ろすことなく仕掛けを操作者の手元に引き戻すことができる。
請求項２に記載の発明は、釣り糸保持手段が仕掛けの取り付けられた釣り糸を移動可能に保持するので釣り糸と釣り用仕掛け搬送器具とがこの釣り糸保持手段を介して繋がった状態となる。そして、釣り糸を巻き取り、仕掛けを操作者の手元に引き戻すと、釣り糸に引かれて釣り用仕掛け搬送器具も凧糸上を操作者の手元に引き戻されることになる。これにより、凧を揚げたまま、同じ釣り用仕掛け搬送器具を繰り返し使用できる。
請求項３に記載の発明は、前記仕掛けに先端が固定される糸である連結糸を巻きつけた連結リールが設けられることで、仕掛けが落下しても仕掛けと釣り用仕掛け搬送器具は連結リールから繰り出される連結糸により連結されることになる。従って、釣り糸を巻き取り、仕掛けを操作者の手元に引き戻すと、仕掛けに連結糸により連結した釣り用仕掛け搬送器具もこれに引かれて凧糸上を操作者の手元に引き戻されるので、やはり、凧を揚げたまま、同じ釣り用仕掛け搬送器具を繰り返し使用することができる。
請求項４に記載の発明は、前記係合手段を前記凧糸上を基端側へ移動させる駆動手段が設けられているので、駆動手段により釣り用仕掛け搬送器具は操作者の手元に戻ってくるので、やはり、凧を揚げたまま、同じ釣り用仕掛け搬送器具を繰り返し使用することができる。
【０００７】
請求項５に記載の発明は、前記帆手段は、仕掛け保持手段が仕掛けの保持を解除した後に、風を受けないように変形するので、釣り用仕掛け搬送器具は自重により凧糸を基端側へ滑り落ちて操作者の手元に戻るので、やはり、凧を揚げたまま、同じ釣り用仕掛け搬送器具を繰り返し使用することができる。
請求項６に記載の発明は、帆手段をパラシュートもしくは骨のない凧とし、パラシュート又は骨のない凧を構成する糸を解放することで帆手段の風を受けないように変形させるので、極めて簡易に帆手段の変形を実現することができる。
請求項７に記載の発明は、凧が高く揚がり過ぎると、凧糸の長さに対して水平方向の距離が得られないが、仕掛けの落下位置までは高さ制限ラインによって凧糸の傾きを制限することができるので、凧糸の繰り出す長さに対する、水平方向の距離を確保することができる。
【発明を実施するための最良の形態】
【０００８】
以下、本発明の実施形態について、図面を参照しながら説明する。
（実施形態１）
図１に本実施形態１に係る釣り用仕掛け搬送器具Ｘの斜視図を示す。本釣り用仕掛け搬送器具Ｘは、係合部１０と、帆手段を構成するパラシュート２０と、仕掛け保持部３０と、釣り糸保持部４０とから構成される。
パラシュート２０は、薄いポリエチレン製のシートからなるドーム状の傘部２１、一端を傘部２１の開口縁に等間隔に連結され他端同士を一体に連結される複数の紐体により形成される形状保持糸２２、形状保持糸２２の前記他端に一端を固定された紐体であり、他端側に金属性のリング２３ａが設けられた解放ライン２３、前記傘部２１の頂点に一端を連結された紐体である連結ライン２４とから構成される。パラシュート２０は前記仕掛け保持部３０を介して前記係合部１０に固定され、後述するように風を受けて揚げられた凧の凧糸の先端側へ向う搬送力を係合部１０に対して付加する役割を果たす。
【０００９】
図２に係合部１０、仕掛け保持部３０、釣り糸保持部４０の近傍を表す拡大斜視図を示し、図３にこの部分の縦断面図を示す。
仕掛け保持部３０は、アルミ製のパイプからなる本体３１、本体３１の内部を通るアルミ製の針金からなる移動杆３２、移動杆３２を形成する針金を折り曲げることにより、移動杆３２の一端の延長上に形成される作動杆３５を有する。移動杆３２は、本体３１内部に設けられる引張りバネ３２ａにより本体３１に対して作動杆３５側へ付勢されるように連結されている。作動杆３５は後述する係合部１０の係合コイル１１に直列にならぶように一途けられるコイル状の衝突コイル３５ａが設けられる。さらに、本体３１の下面には仕掛け係止部３３と、パラシュート係止部３４とが設けられ、また、金属のリングよりなる前記パラシュート２０の連結ライン２４を固定するパラシュート固定リング３１ｂが設けられている。
【００１０】
仕掛け係止部３３は下面中央に切り欠き３３ｂが形成された、本体３１の下面の作動杆３５が設けられていない一端側に溶接固定されるアルミ製の短いパイプと、この内部を通る第１係合杆３３ａとから構成される。第１係合杆３３ａは、前記移動杆３２の作動杆３５が形成されていない側の端部に連なる針金を下方側にＵ字を形成するように折り曲げた下方の水平部分から形成されるものである。この第１係合杆３３ａは、移動杆３２を拘束する前述した引張りバネ３２ａが伸びていない状態において、切り欠き３３ｂを横切って先端部分が表出することがなく、移動杆３２が作動杆３５とは逆方向に移動すると先端部分が切り欠き３２ｂによる開口を横切って移動するようになっている。操作者は、この移動杆３２を引っ張って第１係合杆３３ａを移動させ、切り欠き３２ｂによる開口に釣り糸Ａと仕掛けが取り付けられた仕掛け保持ラインＢとの間を連結する金属のリングＯを通し、移動杆３２を離して、リングＯに第１係合杆３３ａを通すようにして元の位置に戻すことで、図示しない仕掛けを仕掛け係止部３３に係合させることができる。
【００１１】
パラシュート係止部３４は下面中央に切り欠き３４ｂが形成された、本体３１の下面の仕掛け係合部が設けられていない端部に溶接固定されるアルミ製の短いパイプと、この内部を通る第２係合杆３４ａとから形成される。第２係合杆３４ａは、移動杆３２の本体３１内部に位置する部分の下方に溶接固定される、針金を下方側にＵ字を形成するように折り曲げた下方の水平部分から形成されるものである。このＵ字に折り曲げた針金の垂直方向部分は、本体３１の下面に設けられた長穴３１ｃを通して長手方向に移動可能に表出している。この第２係合杆３４ａは、移動杆３２が前述した引張りバネ３２ａが伸びていない状態において、切り欠き３４ｂを横切って先端部分が表出することがなく、移動杆３２が作動杆３５とは逆方向に移動すると先端部分が切り欠き３３ｂによる開口を横切って移動するようになっている。図に示すようにパラシュート２０の解放ライン２３の先端に設けられるリング２３ａは、初期の状態で第２係合杆３４ａに通されパラシュート係止部３４に固定されている。
【００１２】
係合部１０は、アルミ製の針金で形成されるもので、前記本体３１の上面の両端近傍に２本、溶接固定されている係合部１０は凧糸に係合するためにコイル状に形成された係合コイル１１と係合コイルを仕掛け保持部３０に対して支持するための支持脚１２とから形成されている。
釣り糸保持部４０は、アルミ製の針金をコイル状に形成したもので、前記仕掛け係止部３３の下面に溶接固定される。
【００１３】
次に、この釣り用仕掛け搬送器具Ｘの使用方法について説明する。操作者は図４（ａ）に示すように凧Ｋを揚げる。なお、図４は模式図であり大きさ等の関係は誇張している。凧Ｋを結ぶ凧糸Ｓには、途中に高さ制限ラインＳａが分岐して設けられ、また、中心に穴の開いた球体よりなる落下位置指定部材Ｆが固定されている。ここでは、制限ラインの長さを５０ｍ、基端から分岐点までの凧糸の長さを５１０ｍ、分岐点から凧までの長さを１００ｍ、基端から落下位置指定部材Ｆまでの凧糸の長さを５００ｍとしている。また、高さ制限ラインＳａの先端部には内部に海水と空気がほぼ半分ずつ入った合成樹脂性の密閉容器からなる錘Ｍが設けられている。この海水の量は凧Ｋの本体の揚力ではぎりぎり持ち上がらない程度の量に定められる。
この凧Ｋ揚げるには、高さ制限ラインＳａ、落下位置指定部材Ｆとともに凧糸Ｓを巻き取ったリールから凧糸Ｓと高さ制限ラインＳａを繰り出しながら凧Ｋを揚げていき、高さ制限ラインＳａがある程度繰り出されたところで、錘Ｍを海面へ投げ入れる。さらに凧を揚げていくが、高さ制限ラインＳａが伸びきったところで凧Ｋは錘Ｍに拘束されてこの状態から高くは揚がらず、凧糸Ｓを繰り出していくことにより、凧Ｋは略平行移動しながら錘Ｍを沖へ引っ張ってゆく。そして、すべての凧糸Ｓを使い切ったところで、凧糸の基端を地面設けた杭に固定する。
【００１４】
次に、操作者は、釣り用仕掛け搬送器具Ｘの仕掛け係止部３３に、仕掛けｍに連結したリングＯを係止させるとともに、リングＯに連結した釣り糸を釣り糸保持部４０内を通るようにする。そして、それぞれの係合部１０の係合コイル１１内および作動杆３５の衝突コイル３５ａ内に凧糸Ｓを入れる。この状態で、パラシュート２０の傘部２１に風を受けさせて仕掛け保持部３０を牽引させ、釣り用仕掛け搬送器具Ｘを凧糸Ｓに沿って凧Ｋ側へ移動させる。やがて、作動杆３５の衝突コイル３５ａが落下位置指定部材Ｆの位置に到達すると、落下位置指定部材Ｆは衝突コイル３５ａの内径よりも大きいので、ここに衝突して釣り用仕掛け搬送器具Ｘは止まる。この際、保持していた仕掛けｍの係合がはずれ、また、パラシュートが分解する。
【００１５】
具体的には、図５（ａ）の縦断面図に示すように、落下位置指定部材Ｆの直前までは、仕掛け保持ラインＢは仕掛け係止部３３に固定され、パラシュート２０の解放ライン２３はパラシュート係止部３４に固定されている。そして、図５（ｂ）の断面図に示すように、作動杆３５の衝突コイル３５ａが落下位置指定部材Ｆに衝突すると、作動杆３５とこれに連結している移動杆３２、第１係合杆３３ａ、第２係合杆３４ａは移動が止まる一方、本体３１とこれに固定されている部材は移動を続ける結果、移動杆３２が本体に対して作動杆３５と反対側に移動することになる。これにより、第１係合杆３３ａの先端が仕掛け係止部３３の切り欠き３３ｂを横切って移動することで仕掛け保持ラインＢに連結されたリングＯの拘束が解放され、リングＯが仕掛け係止部３３から脱落し、海中へ落下する。また、第２係合杆３４ａの先端がパラシュート係止部３４の切り欠き３４ｂを横切って移動することでパラシュート２０の解放ライン２３に連結されたリング２３ａの拘束が解放され、リング２３ａがパラシュート係止部３４から脱落することになる。パラシュート２０の解放ライン２３が落下すると、パラシュート２０は連結ライン２４においてのみ本体３１と連結する結果、図４（ｂ）に示すように傘部２１は反転して、風を受けることができない形に変形する。また、仕掛けｍが落下した際に、釣り糸Ａは釣り糸保持部４０内を通っているので、図４（ｂ）に示すように、釣り用仕掛け搬送器具Ｘは釣り糸を介して操作者が操作できるようになっている。
【００１６】
仕掛けが海中に落下した状態で、操作者はその場で魚信を待つか、釣り糸をゆっくりと引いて魚が掛かるのを待つ。釣り用仕掛け搬送器具Ｘは釣り糸を介して連結されているので、釣り糸を巻き取ることで、釣り用仕掛け搬送器具Ｘは、図４（ｃ）に示すように操作者の手元に引き戻される。その後は、パラシュート２０の解放ライン２４のリング２４ａをパラシュート係止部３４に固定し、仕掛けに餌などをつけて再び仕掛け係止部３３に固定し、仕掛けを沖に搬送して釣りを行うことができる。
【００１７】
（実施形態２）
図６に本発明の第２の実施形態に係る釣り用仕掛け搬送器具Ｙの斜視図を示す。この釣り用仕掛け搬送器具Ｙの前記実施形態１に係る釣り用仕掛け搬送器具Ｘとの相違点は、釣り糸保持部４０に代えて、連結リール５０が設けられている点である。図７に係合部１０、仕掛け保持部３０、連結リール５０の近傍を表す拡大斜視図を示し、図８にこの部分の縦断面図を示す。連結リール５０は、上部及び下部に設けられる円盤の中心間を丸棒で連結し、この丸棒に基端を固定した連結糸５１を巻きつけたものであり、本体３１の下面に溶接固定されている。連結リール５０に巻きつけられた連結糸５１の先端は、仕掛けを連結する仕掛け保持ラインＢと連結するリングＯに結びつけられる。
【００１８】
このような構成を有する釣り用仕掛け搬送器具Ｙの使用方法について以下に説明する。まず、操作者は実施形態１と同様に凧Ｋを揚げて、図９（ａ）に示すように釣り用仕掛け搬送器具Ｙの仕掛け係止部３３に、仕掛けｍに連結したリングＯを係止させる。そして、パラシュート２０の傘部２１に風を受けさせて仕掛け保持部３０を牽引させ、釣り用仕掛け搬送器具Ｙを凧糸Ｓに沿って凧Ｋ側へ移動させる。やがて、作動杆３５の衝突コイル３５ａが落下位置指定部材Ｆの位置に到達すると、これに衝突して釣り用仕掛け搬送器具Ｙは止まり、仕掛け係止部３３が保持していた仕掛けラインＢのリングＯの係合がはずれて仕掛けｍが落下し、また、パラシュート係止部３４の保持していた解放ライン２３のリング２３ａの係合がはずれパラシュートが分解する。この際、リングＯと連結リール５０の連結糸５１とが結び付けられているので、仕掛けｍの落下に伴って連結糸５１は連結リール５０から繰り出されていくことになる。この結果、仕掛けｍが海中に落下してしまうと、図９（ｂ）に示すように仕掛けｍと釣り用仕掛け搬送器具Ｙとが連結リール５０の連結糸５１を介してつながり、また、釣り糸Ａと仕掛けｍともつながっているので、釣り糸Ａと釣り用仕掛け搬送器具Ｙとも連結リール５０の連結糸５１を介してつながることになる。従って、操作者が釣り糸を巻き取ることで、釣り用仕掛け搬送器具Ｙを手元に引き寄せることができ、やはり、何度でも釣り用仕掛け搬送器具Ｙを用いて仕掛けを沖へ運ぶことができる。
【００１９】
（実施形態３）
図１０に本発明の第３の実施形態に係る釣り用仕掛け搬送器具Ｚの斜視図を示す。この釣り用仕掛け搬送器具Ｚの前記実施形態１に係る釣り用仕掛け搬送器具Ｘとの相違点は、釣り糸保持部４０に代えて、釣り用仕掛け搬送器具Ｚ全体を凧糸の基端側へ移動させる駆動手段となる風車装置６０が設けらている点である。図１１に係合部１０、仕掛け保持部３０、風車装置６０の近傍を表す拡大斜視図を示し、図１２にこの部分の凧糸に係合した状態を表す側面図を示す。
【００２０】
風車装置６０は、２つの風車よりなり、それぞれが風車本体６１と支持脚６２と回動板６３と係止ローラー６４とから構成される。風車本体６１は、合成樹脂で形成された十字体の４つの先端にほぼ半球状のドーム体を一体に形成したものであり、各ドーム体は十字体を交差点を中心として回転させたときに、解放面が同方向に進行するように設置される。支持脚６２は垂直に本体３１の上面に立設されるアルミ製の棒状体である。回動板６３は、一部に切り欠き６３ａが形成された円板であり、支持脚６２と本体３１とのそれぞれに垂直な回転軸に回動可能に支持脚６２の側面の先端近傍に中心点を固定されている。また、この回動板の切り欠き６３ａには回動しないように係止する回動係止片６３ｂが係合している。回動係止片６３ｂは線材を折り曲げて形成したものであり、一端が支持脚６２の先端に回動板６３と同じ方向を向う回動軸に回動可能に固定され、他端が前記切り欠き６３ａに係合するように折り曲げられている。この回動係止片６３ｂは作動杆３５に連結棒６３ｂａによって連結しており、作動杆３５が落下位置指定部材に衝突すると回動係止片６３は作動杆３５の移動によって押され、切り欠き６３ａから外れるようになっている。さらに、回動板６３には回動板６３を一方向に回動させるように付勢する引張りバネ６３ｃが設けられる。引張りバネ６３ｃは一端が回動板６３の表面から突出する係合棒に係合し、他端が支持脚の側面から突出する係合棒に係合している。係止ローラー６４は回動板６３に回動可能に固定される２つのゴム製のローラーから形成される。係止ローラー６４は、回動板６３の切り欠き６３ａが回動係止片６３ｂに係合した状態で、上下に互いに側面がやや離れた位置で並ぶ。そして、各ローラーの側面の略真ん中には凧糸が外れないように溝が形成されている。また、上方のローラーの回転軸は風車本体６１の十字体の交差点と連結することで、風車本体６１が回ると上方のローラーも回転するようになっている。また、２つの係止ローラー６４は回動板６３の切り欠き６３ａが回動係止片６３ｂに係合した状態では凧糸に係合しない位置に存するようになっている。
【００２１】
図１３を用いて、係止ローラー６４が凧糸Ｓに係合する動作を説明する。まず、図１３（ａ）に示すように釣り用仕掛け搬送器具Ｚが凧糸Ｓを凧本体側へ移動している間は係止ローラー６４は凧糸に触れていないので、風車本体６１が回っても駆動力は伝わらない。次に、作動杆３５が落下位置指定部材Ｆに衝突すると、作動杆３５は止まり、本体３１とこれに固定される支持脚６２はそのまま進行方向へ移動する結果、作動杆３５は相対的に凧糸の基端側へ移動する。これにより、作動杆３５に連結棒６３ｂａにより連結された回動係止片６３ｂが押されて、回動板６３の切り欠き６３ａと回動係止片６３ｂとの係合が解除される。この結果、引張りバネ６３ｃの付勢力により回動板６３が回動し、図１３（ｂ）のように各係止ローラー６４が凧糸Ｓを上下のずれた位置から挟みこむように凧糸Ｓに係合する。これにより、風車本体６１の回転力が凧糸Ｓに伝わる結果、釣り用仕掛け搬送器具Ｚは凧糸Ｓの基端側へ運ばれることになる。
【００２２】
次に、このような構成を有する釣り用仕掛け搬送器具Ｚの使用方法について説明する。まず、操作者は実施形態１と同様に凧Ｋを揚げて、図１４（ａ）に示すように釣り用仕掛け搬送器具Ｚの仕掛け係止部３３に、仕掛けｍに連結したリングＯを係止させる。そして、パラシュート２０の傘部２１に風を受けさせて仕掛け保持部３０を牽引させ、釣り用仕掛け搬送器具Ｚを凧糸Ｓに沿って凧Ｋ側へ移動させる。この際、風車装置６０も風を受けるが凧糸Ｓには係合していないので駆動力は風車装置６０の駆動力は伝わらない。やがて、作動杆３５の衝突コイル３５ａが落下位置指定部材Ｆの位置に到達すると、これに衝突して釣り用仕掛け搬送器具Ｚは止まり、仕掛け係止部３３が保持していた仕掛けラインＢのリングＯの係合がはずれて仕掛けｍが落下し、また、パラシュート係止部３４の保持していた解放ライン２３のリング２３ａの係合がはずれパラシュートが分解する。それと同時に、風車装置６０の係止ローラー６４が凧糸Ｓに係合する。釣り用仕掛け搬送器具Ｚは、釣り糸Ａと連結されていないので、図１４（ｂ）に示すように操作者は釣り用仕掛け搬送器具Ｚを直接操作することができない。しかし、パラシュート２０が変形することで、パラシュート２０の推進力が弱くなり、同時に風車装置６０が凧糸Ｓに係合するので、風車装置６０が風を受けて風車本体６１が風車として回転し、図１４（ｃ）に示すように釣り用仕掛け搬送器具Ｚ全体を操作者の手元へと移動させる。従って、操作者は再び釣り用仕掛け搬送器具Ｚを利用して仕掛けを沖へ運ぶことができる。
なお、風車装置６０における風車の数や、風受け部の数は任意であり、必要に応じて定めることができる。また、２つの係止ローラー６４のそれぞれに風車を設けるようにしてもよい。
【００２３】
（実施形態４）
図１５に本発明の第４の実施形態に係る釣り用仕掛け搬送器具Vの斜視図を示す。この釣り用仕掛け搬送器具Vは係合部１１０と、帆手段を構成するパラシュート２０と、仕掛け保持部１３０と、補助リング１４０とから構成される。パラシュート２０は上記各実施形態において示されたパラシュート２０とほぼ同じものである。相違点は、パラシュートの傘部２１の裏面の中心に固定されている点、形状保持糸２２の基端がリング２２ａによりまとめられ、解放ライン２３はこのリング２２ａと連結している点、連結ライン２４に棒状のカーボンロッドが使用され、この連結ライン２４はリング２２ａ内を通って、傘部２１の裏面の中心位置に先端が固定されている点である。このような構成により、解放ライン２３が解放されると、リング２２ａはカーボンロッドよりなる連結ライン２４を移動し、形状保持糸２２が絡むことがない。
【００２４】
図１６に係合部１１０、仕掛け保持部１３０、補助リング１４０近傍の拡大分解斜視図を示し、図１７に係合部１１０、仕掛け保持部１３０、補助リング１４０近傍の側面図を示す。仕掛け保持部１３０は垂直方向に伸びる中央に縦方向に切り欠き１３４ａが設けられた縦板１３１、水平方向に伸びる縦板１３１との接合部分中央に長方形状の穴が設けられた横板１３２、縦板１３１の中央下縁近傍に下垂するように設けられる薄いブロック体である固定ブロック１３４、縦板１３１の中央に設けられた切り欠き１３４ａの間に回動自在に固定される棒体である回動杆１３３とからなる。縦板１３１には切り欠き１３４ａに平行に後述する引張りバネを通す切り欠き１３１ｂも設けられている。回動杆１３３の先端には切り欠き１３３ｂが設けられ、この切り欠き１３３ｂ内に回動可能に丸棒体である固定杆１３３ａが設けられている。また、横板１３２の中央先端近傍には、この固定杆１３３ａが通ることができる丸穴１３２ａが設けられている。固定ブロック１３４の下面は前記補助リング１４０の内周面に沿うような曲面が設けられるとともに、補助リング１４０を固定するための溝が形成されている。また、固定ブロック１３４の上面には、後述する引張りバネを固定する針金で円弧状に形成された固定リング１３４ａが設けられている。
【００２５】
係合部１１０は、前記回動杆１３３に対して垂直に固定される棒状体であり先端に切り欠きである係合溝１１１が設けられている。また、係合部１１０の背面には後方へ突出する突起１１２が形成されており、この突起から側方に向って丸棒体である支持棒１１３が固定されている。そして、この支持棒１１３と前記固定ブロック１３４の上面に設けられる固定リング１３４ａとの間に引張りバネ１３５が設けられている。
補助リング１４０は、ステンレス製のリング体であってリングが半分に分割されるとともに、分割された一端同士は回動部１４１において回動可能に連結され、他端同士は互いに係合できるように係合凹凸１４２が形成されている。
補助リング１４０の係合凹凸１４２同士を係合させて補助リング１４０をリング体として仕掛け保持部１３０の横板１３２に形成された長方形状の穴に入れ、内縁を固定ブロック１３４の下面の溝に入れることで、補助リング１４０は横板１３２の長方形状の穴の両縁と固定ブロック１３４の下面との間に挟持固定されるようになっている。この状態において、リング１４０の上部内縁と係合部１１０の係合溝１１１の下端との間に閉じた穴が形成され、この部分に後述するように凧糸が通ることになる。
【００２６】
次に、このような構成を有する釣り用仕掛け搬送器具Vの使用方法および動作について説明する。この際、上記実施の形態と異なり、図１８に示す第２落下位置指定部材２００と、図１９に示す落下位置指定部材返却部材３００を使用する。第２落下位置指定部材２００は中空の細いステンレス製のパイプ体２１０の先端近傍に垂直の板状体であるストッパ２２０を設け、このストッパの先端にリング２２０ａを固定し、小さなパラシュート２３０をリング２２０ａに連結させたものである。パイプ体２１０の太さは係合部１１０の係合溝１１１の幅より太く係合溝１１１はこのパイプ体２１０を通ることができないが、パイプ体２１０の肉厚は補助リング１４０が乗り越えることができるように十分に薄くなっている。
落下位置指定部材返却部材３００は第２落下位置指定部材２００のパイプ体２１０の外形よりも大きな内径を有するパイプ体３１０の後端近傍にリング３２０を固定し、小さなパラシュート３３０をリング３２０に連結させたものであり、パイプ体３１０の先端内部には磁石３４０が内蔵されるとともに、リング３２０には釣り糸が連結される。これらの第２落下位置指定部材２００、落下位置指定部材返却部材３００は予め凧糸に通されているものとする。
【００２７】
使用に際して操作者は、まず、上記実施の形態と同様に凧を揚げる。次に操作者は、第２落下位置指定部材２００を凧糸に沿わせて先端方向に送る。第２落下位置指定部材２００は落下位置指定部材Ｆに当たったところで停止する。それから操作者は仕掛けを保持した釣り用仕掛け搬送器具Vを先端方向に送ることになる。このためには、まず、操作者はパラシュート２０の解放ライン２３に連結したリング２３ａを固定杆１３３ａ内に通すとともに、仕掛けに連結したリングＯも固定杆１３３ａ内に通す。また、開いた状態の補助リング１４０にパラシュート２０の連結ライン２４の先端に設けられるリング２４ａを通し、リング内に凧糸Ｓが入った状態にして補助リング１４０を閉じる。そして、この状態で補助リング１４０を仕掛け保持部１３０に係合固定させる。この際、凧糸Ｓを係合部１１０の係合溝１１１内に挟みこむようにする。
【００２８】
このような作業により仕掛けが取り付けられた釣り用仕掛け搬送器具Ｖはパラシュート２０に引かれて先端方向へ進みやがて、図２０（ａ）に示すように、第２落下位置指定部材２００のところまで進む。第２落下位置指定部材２００まで進むと、補助リング１４０は第２落下位置指定部材２００のパイプ体２１０に乗り上げるが、係合部１１０の係合溝１１１はパイプ体２１０にぶつかる。この衝撃で、図２０（ｂ）に示すように係合部１１０は後方へ倒れ、これにより係合部１１０を固定する回動杆１３３が上方へ回動する。これにより、回動杆１３３の先端に設けられる固定杆１３３ａが、横板１３２の丸穴１３２ａから引き抜かれ、固定杆１３３ａに通されていた仕掛けに連結したリングＯおよびパラシュート２０の解放ライン２３に連結したリング２３ａは脱落する。また、当初、係止部１１０は引張りバネ１３５により進行方向側へ引っ張られることで位置を保持しているが、衝突により引っ張りバネ１３５が係止部１１０の回転中心を越えると、引張りバネ１３５は係止部１１０を後方へ倒すように働き、これにより、保持部１１０の先端の高さが第２落下位置指定部材２００のパイプ体２１０の下面よりも低くなり、保持部１１０はこの状態で保持される。このため、釣り用仕掛け搬送器具Ｖは分解したパラシュートのわずかな搬送力により第２落下位置指定部材１３５の先端側へストッパ２２０の位置まで移動する。
【００２９】
操作者はこの状態で釣りをし、仕掛けのみを手元に返し、別の釣り用仕掛け搬送器具Ｖを用いて仕掛けを搬送する。これを繰り返すことで釣り用仕掛け搬送器具Ｖは第２落下位置指定部材２００上に溜まっていくことになる。第２落下位置指定部材２００に所定数の釣り用仕掛け搬送器具Ｖが溜まると、操作者は釣り糸をつけた落下位置指定部材返却部材３００を凧糸を介して先端方向へ送る。そして、図２１に示すように、落下位置指定部材返却部材３００が落下位置指定部材２００の位置に達すると、落下位置指定部材返却部材３００の先端に設けられた磁石３４０が第２落下位置指定部材のパイプ体２１０に吸着する。その後、操作者は落下位置指定部材返却部材３００に取り付けられた釣り糸を巻き戻すことで第２落下位置指定部材２００とこれにぶら下がった複数の釣り用仕掛け搬送器具Ｖとを手元に引きもどすことができる。その後、再び上記と同様の操作をすることで、凧を下ろすことなく。何度でも仕掛けを沖へ運ぶことができる。
【００３０】
なお、上記実施の形態では、帆手段としてパラシュートを用いているが、これは小型の凧を用いるようにしてもよい。
また、上記実施の形態では、凧の高さを錘を用いて制限しているが、凧の高さを高くすることで凧糸の傾斜を大きくすることで、釣り用仕掛け搬送器具を重力により手元に引き戻すようにすることもできる。
さらに、実施の形態４では複数の釣り用仕掛け搬送器具を落下位置指定部材返却部材を用いて下ろしているが、十分な数の釣り用仕掛け搬送器具を用意することで凧とともに下ろすようにしてもよい。
【図面の簡単な説明】
【００３１】
【図１】実施形態１に係る釣り用仕掛け搬送器具の斜視図である。
【図２】実施形態１に係る係合部、仕掛け保持部、釣り糸保持部の近傍を表す拡大斜視図である。
【図３】実施形態１に係る係合部、仕掛け保持部、釣り糸保持部の近傍の縦断面図である。
【図４】（ａ）（ｂ）（ｃ）ともに実施の形態１に係る釣り用仕掛け搬送器具の使用状態を示す模式図である。
【図５】（ａ）（ｂ）ともに実施の形態１に係る釣り用仕掛け搬送器具の動作を示す縦断面図である。
【図６】実施形態２に係る釣り用仕掛け搬送器具の斜視図である。
【図７】実施形態２に係る係合部、仕掛け保持部、連結リールの近傍を表す拡大斜視図である。
【図８】実施形態２に係る係合部、仕掛け保持部、連結リールの近傍の縦断面図である。
【図９】（ａ）（ｂ）（ｃ）ともに実施の形態２に係る釣り用仕掛け搬送器具の使用状態を示す模式図である。
【００３２】
【図１０】実施形態３に係る釣り用仕掛け搬送器具の斜視図である。
【図１１】実施形態３に係る係合部、仕掛け保持部、風車装置の近傍を表す拡大斜視図である。
【図１２】実施形態３に係る係合部、仕掛け保持部、風車装置の近傍の側面図である。
【図１３】（ａ）（ｂ）とも実施形態３に係る風車装置が凧糸に係合する動作を示す側面図である。
【図１４】（ａ）（ｂ）（ｃ）ともに実施形態３に係る釣り用仕掛け搬送器具の使用状態を示す模式図である。
【図１５】実施形態４に係る釣り用仕掛け搬送器具の斜視図である。
【図１６】実施形態４に係る係合部、仕掛け保持部、補助リング近傍の拡大分解斜視図である。
【図１７】実施形態４に係る係合部、仕掛け保持部、補助リング近傍の側面図である。。
【図１８】第２落下位置指定部材の側面図である。
【図１９】落下位置指定部材返却部材の側面図である。
【図２０】（ａ）（ｂ）ともに実施形態４に係る釣り用仕掛け搬送器具の動作を示す側面図である。
【図２１】実施形態４に係る釣り用仕掛け搬送器具を引き戻す状態を示す側面図である。
【符号の説明】
【００３３】
Ｘ、Ｙ、Ｚ、Ｖ  釣り用仕掛け搬送器具
１０、１１０    係合部
２０            パラシュート
３０、１３０    仕掛け保持部
４０            釣り糸保持部
５０            連結リール
６０            風車装置
Ｋ              凧
Ｓ              凧糸
Ｓａ            高さ制限ライン
Ｍ              錘
ｍ              仕掛け
Ａ              釣り糸
【図１】
2006254812.tif 000003
【図２】
2006254812.tif 000004
【図３】
2006254812.tif 000005
【図４】
2006254812.tif 000006
【図５】
2006254812.tif 000007
【図６】
2006254812.tif 000008
【図７】
2006254812.tif 000009
【図８】
2006254812.tif 000010
【図９】
2006254812.tif 000011
【図１０】
2006254812.tif 000012
【図１１】
2006254812.tif 000013
【図１２】
2006254812.tif 000014
【図１３】
2006254812.tif 000015
【図１４】
2006254812.tif 000016
【図１５】
2006254812.tif 000017
【図１６】
2006254812.tif 000018
【図１７】
2006254812.tif 000019
【図１８】
2006254812.tif 000020
【図１９】
2006254812.tif 000021
【図２０】
2006254812.tif 000022
【図２１】
2006254812.tif 000023